【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
複数のワイヤレスネットワークセンサのうちの報告ワイヤレスネットワークセンサから、ワイヤレスセンサネットワークを介して、警告メッセージを受信するステップであり、各ワイヤレスネットワークセンサは、前記ワイヤレスセンサネットワークの他のワイヤレスネットワークセンサへの及び該他のワイヤレスネットワークセンサからのデータをルーティングするように構成され、前記警告メッセージは、環境条件に必要とされる修正を表す情報を含み、前記警告メッセージは、データセンターにおけるコンピュータ室空調ユニット（ＣＲＡＣ）の安定性又は不安定性の指標を含み、安定性又は不安定性の前記指標は、前記ＣＲＡＣにより必要とされるとおりの前記ＣＲＡＣの冷凍コイルをわたる気流のレベルの指標を含んで、前記ＣＲＡＣの冷凍圧縮機の信頼性のある動作を保証する、ステップと、
環境条件に必要とされる修正を表す前記情報をネットワーク化コントローラにおいて使用して、前記環境条件を修正する能力がある装置に、前記警告メッセージの中の前記情報に対応する手法で前記環境条件を修正するように命じるステップであり、前記装置に命じるステップは、不安定性の指標を補正するように前記ＣＲＡＣにおけるファン速度を制御することを含む、ステップと、
を含む方法。
【請求項２】
前記報告ワイヤレスネットワークセンサから、ネットワークコントローラが前記環境条件を修正する能力がある装置に命じた後、フィードバック情報を受信するステップ、を含む請求項１に記載の方法。
【請求項３】
前記環境条件を修正する能力がある前記装置はＣＲＡＣである、請求項１に記載の方法。
【請求項４】
前記環境条件は温度である、請求項１に記載の方法。
【請求項５】
前記環境条件は圧力である、請求項１に記載の方法。
【請求項６】
前記警告メッセージを、前記ワイヤレスセンサネットワークの中のゲートウェイを介して報告ワイヤレスネットワークセンサから受信するステップ、を含む請求項１に記載の方法。
【請求項７】
前記環境条件が規定された制限の範囲内かを判定するステップ、を含む請求項１に記載の方法。
【請求項８】
１以上の影響区域を定義するステップであり、前記１以上の影響区域のうちの特定影響区域は、該特定影響区域内の環境条件を修正する能力がある装置を制御することができる１以上のネットワーク化コントローラを特定する情報を含む、ステップと、
特定影響区域内の環境条件を感知するステップと、
影響区域情報を使用して、前記１以上のネットワーク化コントローラのうちのいずれが前記特定影響区域内の前記環境条件を修正する能力がある装置を制御することができるかを判定するステップと、
ワイヤレスセンサネットワークを介して、前記特定影響区域内の前記環境条件を修正する能力がある装置を制御することが可能と判定されたネットワークコントローラに、警告メッセージを送信するステップであり、該警告メッセージを送信するステップは、前記ワイヤレスセンサネットワークの他のワイヤレスネットワークセンサへの及び該他のワイヤレスネットワークセンサからのデータをルーティングすることを含み、前記警告メッセージは、前記環境条件に必要とされる修正を表す情報を含み、前記警告メッセージは、データセンターにおけるコンピュータ室空調ユニット（ＣＲＡＣ）の安定性又は不安定性の指標を含み、安定性又は不安定性の前記指標は、前記ＣＲＡＣにより必要とされるとおりの前記ＣＲＡＣの冷凍コイルをわたる気流のレベルの指標を含んで、前記ＣＲＡＣの冷凍圧縮機の信頼性のある動作を保証する、ステップと、
を含む方法。
【請求項９】
前記特定影響区域内の前記環境条件を修正する能力がある装置を制御することが可能と判定された前記ネットワークコントローラに、該ネットワークコントローラが前記環境条件を修正する能力がある装置に命じた後、フィードバック情報を送信するステップ、を含む請求項８に記載の方法。
【請求項１０】
前記環境条件を修正する能力がある前記装置はＣＲＡＣである、請求項８に記載の方法。
【請求項１１】
前記環境条件は温度である、請求項８に記載の方法。
【請求項１２】
前記環境条件は圧力である、請求項８に記載の方法。
【請求項１３】
前記警告メッセージを、前記ワイヤレスセンサネットワークの中のゲートウェイを介して送信するステップ、を含む請求項８に記載の方法。
【請求項１４】
前記環境条件が規定された制限の範囲内かを判定するステップ、を含む請求項８に記載の方法。
【請求項１５】
１以上の影響区域に関連する情報を記憶する記憶コンポーネントであり、前記１以上の影響区域のうちの特定影響区域は、該特定影響区域内の環境条件を修正する能力がある装置を制御することができる１以上のネットワーク化コントローラを特定する情報を含む、記憶コンポーネントと、
特定影響区域内の環境条件を感知する感知コンポーネントであり、該感知コンポーネントは影響区域情報を使用して、前記１以上のネットワーク化コントローラのうちのいずれが前記特定影響区域内の前記環境条件を修正する能力がある装置を制御することができるかを判定する、感知コンポーネントと、
ワイヤレスセンサネットワークを介して、前記特定影響区域内の前記環境条件を修正する能力がある装置を制御することが可能と判定されたネットワークコントローラに、警告メッセージを送信するネットワーク通信コンポーネントであり、該ネットワーク通信コンポーネントは、前記ワイヤレスセンサネットワークの他のワイヤレスネットワークセンサへの及び該他のワイヤレスネットワークセンサからのデータをルーティングするように構成され、前記警告メッセージは、前記環境条件に必要とされる修正を表す情報を含み、前記警告メッセージは、データセンターにおけるコンピュータ室空調ユニット（ＣＲＡＣ）の安定性又は不安定性の指標を含み、安定性又は不安定性の前記指標は、前記ＣＲＡＣにより必要とされるとおりの前記ＣＲＡＣの冷凍コイルをわたる気流のレベルの指標を含んで、前記ＣＲＡＣの冷凍圧縮機の信頼性のある動作を保証する、ネットワーク通信コンポーネントと、
を含むネットワーク化感知装置。
【請求項１６】
前記特定影響区域内の前記環境条件を修正する能力がある装置を制御することが可能と判定された前記ネットワークコントローラに、該ネットワークコントローラが前記環境条件を修正する能力がある装置に命じた後、フィードバック情報を送信するようにさらに構成される、請求項１５に記載のネットワーク化感知装置。
【請求項１７】
マシン実行可能命令を組み込まれた非一時的マシン読取可能記憶媒体であって、前記マシン実行可能命令は、マシンにより実行されると、前記マシンに、
１以上の影響区域に関連する情報を記憶するステップであり、前記１以上の影響区域のうちの特定影響区域は、該特定影響区域内の環境条件を修正する能力がある装置を制御することができる１以上のネットワーク化コントローラを特定する情報を含む、ステップと、
特定影響区域内の環境条件を感知するステップと、
影響区域情報を使用して、前記１以上のネットワーク化コントローラのうちのいずれが前記特定影響区域内の前記環境条件を修正する能力がある装置を制御することができるかを判定するステップと、
ワイヤレスセンサネットワークを介して、前記特定影響区域内の前記環境条件を修正する能力がある装置を制御することが可能と判定されたネットワークコントローラに、警告メッセージを送信するステップであり、該警告メッセージを送信するステップは、前記ワイヤレスセンサネットワークの他のワイヤレスネットワークセンサへの及び該他のワイヤレスネットワークセンサからのデータをルーティングすることを含み、前記警告メッセージは、前記環境条件に必要とされる修正を表す情報を含み、前記警告メッセージは、データセンターにおけるコンピュータ室空調ユニット（ＣＲＡＣ）の安定性又は不安定性の指標を含み、安定性又は不安定性の前記指標は、前記ＣＲＡＣにより必要とされるとおりの前記ＣＲＡＣの冷凍コイルをわたる気流のレベルの指標を含んで、前記ＣＲＡＣの冷凍圧縮機の信頼性のある動作を保証する、ステップと、
を実行させる、非一時的マシン読取可能記憶媒体。
【請求項１８】
前記特定影響区域内の前記環境条件を修正する能力がある装置を制御することが可能と判定された前記ネットワークコントローラに、該ネットワークコントローラが前記環境条件を修正する能力がある装置に命じた後、フィードバック情報を送信するようにさらに構成される、請求項１７に記載の非一時的マシン読取可能記憶媒体。
【請求項１９】
ワイヤレスセンサネットワークと、
前記ワイヤレスセンサネットワークを介してデータ通信する１以上のネットワーク化コントローラと、
前記ワイヤレスセンサネットワークを介して、前記１以上のネットワーク化コントローラとデータ通信する複数のネットワーク化感知装置と、
を含み、
前記１以上のネットワーク化コントローラは、１以上の影響区域内の環境条件を修正する能力がある装置を制御するように構成され、
前記複数のネットワーク化感知装置の各々は、前記ワイヤレスセンサネットワークの他のネットワーク化感知装置への及び該他のネットワーク化感知装置からのデータをルーティングするように構成され、前記複数のネットワーク化感知装置の各々は、前記１以上の影響区域に関連する情報を記憶するように構成され、前記１以上の影響区域のうちの特定影響区域は、該特定影響区域内の環境条件を修正する能力がある装置を制御することができる１以上のネットワーク化コントローラを特定する情報を含み、前記複数のネットワーク化感知装置の各々は、特定影響区域内の環境条件を感知し、影響区域情報を使用して、前記１以上のネットワーク化コントローラのうちのいずれが前記特定影響区域内の前記環境条件を修正する能力がある装置を制御することができるかを判定するようにさらに構成され、前記複数のネットワーク化感知装置の各々は、前記ワイヤレスセンサネットワークを介して、前記特定影響区域内の前記環境条件を修正する能力がある装置を制御することが可能と判定されたネットワークコントローラに、警告メッセージを送信するようにさらに構成され、前記警告メッセージは、前記環境条件に必要とされる修正を表す情報を含み、前記警告メッセージは、データセンターにおけるコンピュータ室空調ユニット（ＣＲＡＣ）の安定性又は不安定性の指標を含み、安定性又は不安定性の前記指標は、前記ＣＲＡＣにより必要とされるとおりの前記ＣＲＡＣの冷凍コイルをわたる気流のレベルの指標を含んで、前記ＣＲＡＣの冷凍圧縮機の信頼性のある動作を保証する、
システム。
【請求項２０】
前記複数のネットワーク化感知装置の各々は、前記特定影響区域内の前記環境条件を修正する能力がある装置を制御することが可能と判定された前記ネットワークコントローラに、該ネットワークコントローラが前記環境条件を修正する能力がある装置に命じた後、フィードバック情報を送信するように構成される、請求項１９に記載のシステム。